(57)【要約】【課題】比較的短時間で特許文献を分析することを可能とする文書分析支援システムを提供する。【解決手段】文書分析支援システムは、特許データベースに保持される複数の特許文献のそれぞれを形態素に分割した形態素情報を保持する形態素情報保持部１８１と、特許データベースに保持される特許文献のうち、分析対象の文献のリスト（特許文献リスト２２）を取得する特許文献リスト取得部１４０と、形態素情報保持部１８１から、特許文献リスト２２に含まれる特許文献の形態素情報を抽出する解析情報抽出部１５０と、を備える。【選択図】図２
2015088022.tif 000002
【特許請求の範囲】
【請求項１】
データベースに保持される複数の文書データのそれぞれを形態素に分割した形態素情報を保持する形態素情報保持部と、
前記データベースに保持される文書データのうち、分析対象の文書データのリストを取得するリスト取得部と、
前記形態素情報保持部から、前記リストに含まれる文書データの形態素情報を抽出する解析情報抽出部と、
を備えることを特徴とする文書分析支援システム。
【請求項２】
前記形態素情報に含まれる形態素間の係り受け情報を保持する係り受け情報保持部をさらに備え、
前記解析情報抽出部は、前記係り受け情報保持部から、前記リストに含まれる文書データの係り受け情報を抽出することを特徴とする請求項１に記載の文書分析支援システム。
【請求項３】
文書データを検索するための検索条件が入力され、当該検索条件のもとで文書データを検索する検索部をさらに備え、
前記リスト取得部は、前記検索部による検索の結果得られた文書データのリストを取得することを特徴とする請求項１または２に記載の文書分析支援システム。
【請求項４】
前記データベースに保持される複数の文書データに対して形態素解析および係り受け解析を行い、形態素情報および係り受け情報を生成する解析部と、
前記解析部による形態素解析に用いる辞書データを保持する辞書データ保持部と、をさらに備え、
前記辞書データが更新された場合、前記解析部は、前記データベースに保持される複数の文書データに対して形態素解析および係り受け解析を行い、前記形態素情報および前記係り受け情報を更新することを特徴とする請求項１から３のいずれかに記載の文書分析支援システム。
【請求項５】
前記データベースに保持される複数の文書データに対して形態素解析および係り受け解析を行い、形態素情報および係り受け情報を生成する解析部を更に備え、
前記データベースに保持される文書データが更新された場合、前記解析部は、更新された文書データの形態素解析および係り受け解析を行い、前記形態素情報および前記係り受け情報を更新することを特徴とする請求項１から３のいずれかに記載の文書分析支援システム。
【請求項６】
文書データを検索するための検索条件を保持する検索条件保持部をさらに備え、
前記検索部は、前記データベースに保持される文書データが更新された場合、更新された文書データのうち、前記検索条件保持部に保持される検索条件に合致する文書データを検索することを特徴とする請求項３に記載の文書分析支援システム。
【請求項７】
データベースに保持される複数の文書データを形態素に分割した形態素情報を保持する機能と、
前記データベースに保持される文書データのうち、分析対象の文書データのリストを取得する機能と、
前記リストに含まれる文書データの形態素情報を取得する機能と、
をコンピュータに実現させるためのコンピュータプログラム。
【発明の詳細な説明】
【技術分野】
【０００１】
本発明はデータ処理技術に関し、特に文書データの分析を支援するための技術に関する。
【背景技術】
【０００２】
企業が研究開発の方向性を決定するにあたっては、自社のコア技術の位置付けを明確にするとともに、競合他社の技術開発動向を把握することが重要であり、これには自社や競合他社の特許出願の分析を行うのが有用である。従来では、分析対象となる特許文献を取得し、各特許文献の要約や請求項に対して形態素解析や係り受け解析等の解析処理を実行し、解析結果に統計的な分析を施す技術が知られている（例えば特許文献１）。
【先行技術文献】
【特許文献】
【０００３】
【特許文献１】特開２０１１−２５７８１７
【発明の概要】
【発明が解決しようとする課題】
【０００４】
形態素解析や係り受け解析等の解析処理は比較的負荷が高い処理である。このため、解析対象の特許文献が大量である場合は、この解析処理が長時間に及ぶこともある。これは上述の技術をＡＳＰ型のサービスとして提供する際の足かせとなる。
【０００５】
本発明はこうした課題に鑑みてなされたものであり、その目的は、比較的短時間で特許文献を分析することを可能とする文書分析支援システムの提供にある。
【課題を解決するための手段】
【０００６】
上記課題を解決するために、本発明のある態様の文書分析支援システムは、データベースに保持される複数の文書データのそれぞれを形態素に分割した形態素情報を保持する形態素情報保持部と、データベースに保持される文書データのうち、分析対象の文書データのリストを取得するリスト取得部と、形態素情報保持部から、リストに含まれる文書データの形態素情報を抽出する解析情報抽出部と、を備える。
【０００７】
なお、以上の構成要素の任意の組合せ、本発明の表現を方法、システム、プログラム、プログラムを格納した記録媒体などの間で変換したものもまた、本発明の態様として有効である。
【発明の効果】
【０００８】
本発明によれば、比較的短時間で特許文献を分析することが可能となる。
【図面の簡単な説明】
【０００９】
【図１】実施の形態の文書分析支援システムの構成を示す図である。
【図２】図１の文書分析支援装置の機能構成を示すブロック図である。
【図３】形態素情報を示すデータ構造図である。
【図４】係り受け情報を示すデータ構造図である。
【図５】図１の文書分析支援装置における解析処理に係る一連の処理を示すフローチャートである。
【図６】図１の文書分析支援装置における抽出・集計処理に係る一連の処理を示すフローチャートである。
【発明を実施するための形態】
【００１０】
本実施の形態に係る文書分析支援システムの概要は以下の通りである。
本実施の形態に係る文書分析支援システムは、特許データベースに保持されるすべての特許文献を形態素解析した結果を予め保持する。また、その解析結果を利用して係り受け解析した結果を予め保持する。文書分析支援システムは、所定の検索条件で特許データベースを検索し、分析対象の特許文献のリストを取得する。例えば「出願人Ａ」の特許出願を分析対象とする場合は、検索条件の「出願人・権利者」に「出願人Ａ」を設定し、特許データベースを検索する。文書分析支援システムは、予め保持された形態素情報および係り受け情報のうち、リストに含まれる特許文献についての形態素情報および係り受け情報を抽出する。そして、それらを集計等して分析する。つまり、本実施の形態に係る文書分析支援システムでは、分析したい特許文献が予め形態素解析および係り受け解析されているため、分析する際に解析を実行する必要はない。分析する際にはそれら解析結果を取得し、集計等すれば足りる。そのため、比較的短時間で特許文献を分析することが可能となる。
【００１１】
図１は、実施の形態の文書分析支援システム１０の構成を示す。文書分析支援システム１０は、文書分析支援装置１００と、特許データベース２００と、ユーザ端末３００と、を備える。これらの各装置は、ＬＡＮ・ＷＡＮ・インターネット等、公知の通信網を介して接続される。
【００１２】
文書分析支援装置１００は、特許データベース２００に保持される特許文献の分析を支援するための装置である。文書分析支援装置１００の詳細な機能構成は図２で後述する。ユーザ端末３００は、ユーザにより操作される情報処理端末である。ユーザ端末３００は、ウェブブラウザがインストールされた一般的なＰＣ（Personal Computer）端末である。ユーザ端末３００は、タブレット端末やスマートフォン等であってもよい。
【００１３】
特許データベース２００は、出願公開済みの特許文献を保持する。ここでいう特許文献には経過情報等の付随的な書誌情報も含まれる。特許データベース２００は、特許文献をテキスト形式で保持している。特許データベース２００は、ＮＲＩサイバーパテントデスク（登録商標）や独立行政法人工業所有権情報・研修館が提供する特許電子図書館などの既存データベースであってもよい。
【００１４】
図２は、図１の文書分析支援装置１００の機能構成を示すブロック図である。これら各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１５】
文書分析支援装置１００は、解析部１２０と、特許文献検索部１３０と、特許文献リスト取得部１４０と、解析情報抽出部１５０と、集計部１６０と、表示制御部１７０と、形態素情報保持部１８１と、係り受け情報保持部１８２と、抽出形態素データ保持部１８３と、抽出係り受けデータ保持部１８４と、辞書データ保持部１８５と、形態素集計データ保持部１８６と、係り受け集計データ保持部１８７と、を備える。
【００１６】
解析部１２０は、特許文献を解析する。解析部１２０は、形態素解析部１２１と、係り受け解析部１２２と、を含む。形態素解析部１２１は、特許データベース２００に保持されるすべての特許文献の形態素解析を実行する。ここで形態素解析とは、文章を意味を持つ最小単位の文字列（形態素）に分割し、分割された文字列を品詞に分類することをいう。例えば、「私の名前は鈴木です」を形態素に分解すると、「私（代名詞）」「の（助詞）」「名前（一般名詞）」「は（係助詞）」「鈴木（固有名詞）」「です（助動詞）」となる。
【００１７】
形態素解析部１２１は、辞書データ保持部１８５に保持される辞書データを参照して形態素解析を実行する。これにより、より的確に特許文献を形態素に分割することができる。これについては後述する。形態素解析部１２１は、本実施の形態では、各特許文献の要約書の課題と特許請求の範囲の請求項１を形態素解析する。なお、これらに代え、またはこれらに加え、要約書の解決手段、特許請求の範囲の他の請求項、明細書の各項目を形態素解析してもよい。形態素解析の結果得られた形態素情報は、形態素情報保持部１８１に保持される。形態素情報については図３で後述する。
【００１８】
また、形態素解析部１２１は、特許データベース２００に保持される特許文献が更新された場合、その更新された特許文献の形態素解析を実行する。具体的には、明細書等の補正により特許文献が更新された場合、特許出願が新たに公開され、その特許文献が特許データベース２００に追加された場合に、形態素解析部１２１はそれら更新・追加された特許文献の形態素解析を実行し、形態素情報保持部１８１に保持される形態素情報を更新する。一般に、特許データベース２００は２週間に１回の頻度で定期更新される。形態素解析部１２１がその定期更新後に更新・追加された特許文献の形態素解析を実行するようスケジューリングしてもよい。もちろん、指示を受けてから形態素解析を実行するようにしてもよい。
【００１９】
また、形態素解析部１２１は、辞書データが更新された場合も形態素解析を実行する。この場合は、すべての特許文献の解析結果に影響がある可能性があるため、形態素解析部１２１は、再度すべての特許文献の形態素解析を実行し、形態素情報保持部１８１に保持される形態素情報を更新する。
【００２０】
係り受け解析部１２２は、形態素解析部１２６における解析結果すなわち形態素情報を利用して係り受け解析を実行する。具体的には、形態素間の係り受けを決定する。係り受け解析の結果得られた係り受け情報は係り受け情報保持部１８２に保持される。係り受け情報については図４で後述する。係り受け解析部１２２は、形態素解析部１２１と同様、特許データベース２００に保持される特許文献が更新された場合は更新された特許文献の係り受け解析を実行し、係り受け情報保持部１８２に保持される係り受け情報を更新する。また、辞書データが更新された場合は再度すべての特許文献の係り受け解析を実行し、係り受け情報を更新する。なお、係り受け解析部１２２は、形態素解析部１２１による形態素解析の完了を受けて係り受け解析を開始するよう構成されてもよい。
【００２１】
特許文献検索部１３０は分析対象の特許文献を検索する。特許文献検索部１３０は、検索条件取得部１３１と、検索式生成部１３２と、検索実行部１３３と、を含む。検索条件取得部１３１は、分析対象の特許文献を検索するための検索条件の入力をユーザ端末３００から受け付ける。出願人・権利者名、出願人識別番号、発明者名、公開年月日、出願年月日、発明を実施するための形態や特許請求の範囲や要約などの検索のためのキーワード、などさまざまな検索条件を任意に入力できる。例えば、「出願人Ａ」の「衛星測位」という技術分野における特許出願を分析したい場合は、出願人・権利者名に「出願人Ａ」、発明を実施するための形態や特許請求の範囲や要約などの検索キーワードに「衛星測位」、をそれぞれ入力する。
【００２２】
検索式生成部１３２は、検索条件取得部１３１が受け付けた検索条件に基づき検索式２１を生成する。検索実行部１３３は、検索式生成部１３２によって生成された検索式２１に基づき特許データベース２００を検索する。
【００２３】
特許文献リスト取得部１４０は、検索実行部１３３による検索の結果得られた特許文献のリストもしくはユーザ端末３００から指定された特許文献のリスト（以下、特許文献リスト２２と総称する）を、公開番号などの文献ＩＤの形で取得する。
【００２４】
解析情報抽出部１５０は、特許文献の解析結果を抽出する。解析情報抽出部１５０は、形態素情報抽出部１５１と、係り受け情報抽出部１５２と、を含む。形態素情報抽出部１５１は、形態素情報保持部１８１から、特許文献リスト２２に含まれる文献ＩＤが特定する特許文献の形態素情報を抽出する。形態素情報抽出部１５１は、抽出した形態素情報を抽出形態素データ保持部１８３に記録する。
【００２５】
係り受け情報抽出部１５２は、係り受け情報保持部１８２から、特許文献リスト２２に含まれる文献ＩＤ２４が特定する特許文献の係り受け情報を抽出する。係り受け情報抽出部１５２は、抽出した係り受け情報を抽出係り受けデータ保持部１８４に記録する。
【００２６】
集計部１６０は、抽出した解析結果を集計する。集計部１６０は、形態素集計部１６１と、係り受け集計部１６２と、を含む。形態素集計部１６１は、抽出形態素データ保持部１８３に保持された形態素情報に含まれる各形態素の出現頻度を任意の項目でグループかしつつ集計する。どの項目でグループ化しつつ集計するかはユーザが設定すればよい。例えば、形態素集計部１６１は、出願人別でグループ化しつつ、各形態素の出現頻度を集計してもよい。この場合、各出願人のと拒文献において出現頻度が高い技術用語を把握することができる。また、特定の出願人の特許文献にだけ出現する技術用語を把握できる。そして、これらから、各出願人が重点を置いている技術を把握することができる。
【００２７】
また例えば、形態素集計部１６１は、年代別、出願人別でグループ化しつつ、各形態素の出現頻度を集計してもよい。この場合、年代ごと、出願人ごとに出現頻度が高い技術用語を把握でき、各出願人の技術動向の変化を把握することができる。形態素集計部１６１は、集計結果を形態素集計データ保持部１８６に記録する。
【００２８】
係り受け集計部１６２は、抽出係り受けデータ保持部１８４に保持された形態素情報に含まれる各係り受け関係の出現頻度を任意の項目でグループ化しつつ集計する。どの項目でグループ化しつつ集計するかはユーザが設定すればよい。例えば、係り受け集計部１６２は、出願人別でグループ化しつつ、特定の形態素（例えば「課題」）と係り受け関係にある形態素の出現頻度を集計してもよい。
【００２９】
また例えば、係り受け集計部１６２は、特定の形態素と係り受け関係にある形態素を類義語でグループ化しつつその出現頻度を集計してもよい。例えば、「課題」という語句と係り受け関係にあり、かつ、「ユーザビリティ」、「見やすさ」、「秘匿性」、「精度向上」、「小型軽量化」、「低電力消費」と類義語である形態素の出現頻度を、それら５つの文字列ごとに集計してもよい。この場合、「ユーザビリティ」、「見やすさ」、「秘匿性」、「精度向上」、「小型軽量化」、「低電力消費」のうちのどれを課題としているかを把握することができる。係り受け集計部１６２は、集計結果を係り受け集計データ保持部１８７に記録する。
【００３０】
表示制御部１７０は、集計部１６０が集計した結果をユーザ端末３００に表示させる。また、表示制御部１７０は、形態素情報抽出部１５１に保持された形態素情報と、係り受け情報抽出部１５２に保持された係り受け情報と、に主成分分析を施し、形態素情報と係り受け情報とを二次元マップ上に配置して可視化させてもよい。
【００３１】
形態素情報保持部１８１は、形態素情報を保持する。特に、形態素情報保持部１８１は、特許データベース２００が保持するすべての特許文献についての形態素情報を保持する。図３は、形態素情報を示すデータ構造図である。文献ＩＤ２４は特許文献を一意に特定するＩＤを示す。項目２８は、特許文献において各形態素が含まれる項目を示す。文番号３０は、各項目に含まれる文を、その項目内において一意に識別する番号を示す。形態素ＩＤ３２は、各文に含まれる形態素を、その文内において一意に識別するＩＤを示す。形態素３４は、各文に含まれる形態素を示す。品詞３６は、形態素の品詞を示す。例えば、文献ＩＤが「特開２００３−０００１」の特許文献の要約の１文目には「レバー（名詞）」という形態素が含まれる。
【００３２】
係り受け情報保持部１８２は、係り受け情報を保持する。特に、係り受け情報保持部１８２は、特許データベース２００が保持するすべての特許文献についての係り受け情報を保持する。図４は、係り受け情報を示すデータ構造図である。形態素ＩＤ（係り元）４０と、形態素（係り元）４２は、それぞれ係り元の形態素ＩＤと、形態素を示す。形態素ＩＤ（係り先）４４と、形態素（係り先）４６は、それぞれ係り先の形態素ＩＤと、形態素を示す。例えば、文献ＩＤが「特開２００３−０００１」の特許文献の発明の名称の１文目の「テープ（名詞）」と「印字（名詞）」とが係り受け関係にあることを示している。
【００３３】
抽出形態素データ保持部１８３は、分析対象の特許文献の形態素情報、すなわち形態素情報抽出部１５１が形態素情報保持部１８１から抽出した形態素情報を保持する。抽出形態素データ保持部１８３が保持する情報のデータ構造は図３と同様である。
【００３４】
抽出係り受けデータ保持部１８４は、分析対象の特許文献の係り受け情報、すなわち係り受け情報抽出部１５２が係り受け情報保持部１８２から抽出した係り受け情報を保持する。抽出係り受けデータ保持部１８４が保持する情報のデータ構造は図４と同様である。
【００３５】
辞書データ保持部１８５は、技術用語や専門用語を有する辞書データを保持する。この辞書データを参照することにより、形態素解析部１２１は、的確に形態素単位に分割することができる。例えば、辞書データが、気体と液体との界面を意味する技術用語である「気液界面」という用語を有していれば、特許文献にこの語句が含まれていた場合に、「気液」と「界面」の２語ではなく、「気液界面」という１つの単語として扱うことができる。
【００３６】
形態素集計データ保持部１８６は、形態素集計部１６１により集計されたデータを保持する。係り受け集計データ保持部１８７は、係り受け集計部１６２により集計されたデータ保持する。
【００３７】
以上の構成による文書分析支援装置１００の動作を説明する。
図５は、文書分析支援装置１００における解析処理に係る一連の処理を示すフローチャートである。形態素解析部１２１は、特許データベース２００に保持される特許文献を一度も形態素解析していない場合（Ｓ１０のＹ）、または辞書データ保持部１８５に保持される辞書データが更新された場合（Ｓ１１のＹ）、特許データベース２００に保持されるすべての特許文献の形態素解析を実行し、形態素情報保持部１８１に保持される形態素情報を更新する（Ｓ１２）。係り受け解析部１２２は、すべての特許文献の係り受け解析を実行し、係り受け情報保持部１８２に保持される係り受け情報を更新する（Ｓ１３）。
【００３８】
また、形態素解析部１２１は、特許データベース２００に特許文献が追加された場合（Ｓ１４のＹ）、または既存の特許文献が更新された場合（Ｓ１５のＹ）、追加・更新された特許文献を形態素解析を実行し、形態素情報を更新する（Ｓ１６）。係り受け解析部１２２は、更新された特許文献の係り受け解析を実行し、係り受け情報を更新する（Ｓ１７）。
【００３９】
図６は、文書分析支援装置１００における抽出・集計処理に係る一連の処理を示すフローチャートである。特許文献検索部１３０は、特許文献を検索する（Ｓ２０）。解析情報抽出部１５０は、検索結果に含まれる特許文献についての解析結果（形態素情報および係り受け情報）を抽出する（Ｓ２１）。集計部１６０は、解析結果を任意の条件で集計する（Ｓ２２）。表示制御部１７０は、集計結果等をユーザ端末３００に表示させる（Ｓ２３）。
【００４０】
本実施の形態に係る文書分析支援装置１００によれば、特許データベース２００が保持するすべての特許文献についての解析結果が保持される。そのため、分析する際に解析を実行する必要はなく、予め保持されている解析結果から所望の解析結果を抽出し、集計等すればよい。これにより、比較的短時間で特許文献を分析することが可能となる。
【００４１】
（第２の実施の形態）
第１の実施の形態に係る文書分析支援装置と第２の実施の形態に係る文書分析支援装置との主な違いは、特許データベース２００が保持する特許文献が追加・更新された場合の各部材の動作である。
第２の実施の形態に係る文書分析支援装置１００は、検索条件保持部をさらに備える点を除き、図２と同様の構成を有する。以下、第１の実施の形態との相違点を中心に説明する。
【００４２】
検索条件保持部は、検索条件取得部１３１が受け付けた検索条件を保持する。
特許文献検索部１３０は、特許データベース２００が保持する特許文献が更新された場合、検索条件保持部が保持する検索条件に基づいて更新された特許文献を検索する。具体的には、まず検索条件取得部１３１は、検索条件保持部から検索条件を取得する。検索式生成部１３２は、この検索条件に基づき検索式２１を生成する。検索実行部１３３は、検索式生成部１３２によって生成された検索式２１に基づき特許データベース２００を検索する。このとき検索実行部１３３は、特許文献の更新日時を参照することにより、前回の検索後に新たに追加された特許文献および前回の検索後に更新された特許文献を検索する。なお、これらの処理は、特許データベース２００の定期更新後に実行されるようスケジューリングされてもよい。
【００４３】
特許文献リスト取得部１４０は、検索実行部１３３による検索の結果得られた特許文献のリストを取得する。このリストを特許文献リスト２２’とする。つまり、特許文献リスト２２’には、追加・更新された特許文献の文献ＩＤが含まれる。形態素情報抽出部１５１は、特許文献リスト２２’に含まれる文献ＩＤ２４が特定する特許文献の形態素情報を抽出し、抽出形態素データ保持部１８３を更新する。なお、形態素解析部１２１による更新された特許文献の形態素解析が未完了の場合、形態素情報抽出部１５１はその完了を待ってから形態素情報を抽出する。
【００４４】
係り受け情報抽出部１５２は、特許文献リスト２２’に含まれる文献ＩＤ２４が特定する特許文献の係り受け情報を抽出し、抽出係り受けデータ保持部１８４を更新する。なお、係り受け解析部１２２による更新された特許文献の係り受け解析が未完了の場合、係り受け情報抽出部１５２はその完了を待ってから係り受け情報を抽出する。
【００４５】
集計部１６０は、更新された抽出形態素データ保持部１８３および抽出係り受けデータ保持部１８４に保持されるデータで再度集計処理を実施する。特許データベース２００が保持する特許文献が追加・更新された場合、特許文献検索部１３０から解析情報抽出部１５０までの一連の処理を自動で実施する。
【００４６】
本実施の形態に係る文書分析支援システム１０によれば、第１の実施の形態と同様の作用効果を奏することができる。加えて、本実施の形態に係る文書分析支援システム１０によれば、特許データベース２００が更新されるたびに、予め登録した検索条件に基づいて自動で検索を行い、分析対象の形態素解析情報および係り受け情報と、集計結果とを更新する。これにより、常に最新の分析結果を得ることができる。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。以下変形例を示す。
【００４８】
第１の変形例を説明する。第１、２の実施の形態では、文書データが特許文献である場合について説明したが、これに限らない。例えば、文書データは、学術論文、新聞、雑誌、その他の文書であってもよい。
【００４９】
第２の変形例を説明する。第１、２の実施の形態では、形態素情報保持部１８１に保持される形態素情報が、１形態素ごとに１レコードとなるよう構成される場合について説明したが、これに限られない。例えば、形態素情報は、１特許文献ごとに１レコードとなるよう構成されてもよい。具体的には、例えば図３の各レコードの各フィールドのデータを「特開２００３−０００１  発明の名称  １  １  テープ  ２  印字  特開２００３−０００１  発明の名称  １  ２  印字  ３  装置  ・・・」のようにスペース区切りでつなげ、１特許文献ごとに１レコードとなるよう構成してもよい。これにより、形態素情報のレコード数が減少するため、これを検索するときの検索スピードが向上する。その結果、形態素情報抽出部１５１が形態素情報保持部１８１から分析対象の特許文献の形態素情報を抽出するときのスピードが向上する。
係り受け情報保持部１８２に保持される係り受け情報についても同様である。
【００５０】
第３の変形例を説明する。第１、２の実施の形態では言及していないが、文書分析支援装置１００は、集計部１６０が、どのような項目でグループ化しつつ解析結果を集計するかが設定されたテンプレートを保持するテンプレート保持部をさらに備えてもよい。一例としては、テンプレートには、「形態素集計部１６１が年代別、出願人別でグループ化しつつ形態素情報の各形態素の出現頻度を集計し、係り受け集計部１６２が出願人別でグループ化しつつ形態素「課題」と係り受け関係にある形態素の出現頻度を集計する」ことが設定される。テンプレート保持部はこうしたテンプレートを複数保持してもよく、ユーザは所望のテンプレートを選択すればよい。これにより、どの項目でグループ化しつつ集計するかをユーザが設定する必要がなくなり、ユーザの負担が軽減される。
【００５１】
第４の変形例を説明する。第１、２の実施の形態では、文書分析支援装置１００が、解析部１２０と、特許文献検索部１３０と、特許文献リスト取得部１４０と、解析情報抽出部１５０と、集計部１６０と、表示制御部１７０と、形態素情報保持部１８１と、係り受け情報保持部１８２と、抽出形態素データ保持部１８３と、抽出係り受けデータ保持部１８４と、辞書データ保持部１８５と、形態素集計データ保持部１８６と、係り受け集計データ保持部１８７と、を備える場合について説明したが、これに限られず、文書分析支援装置１００の機能の一部を他の装置に移してもよい。例えば、文書分析支援装置とは別に特許文献検索装置を設け、これに特許文献検索部１３０の機能を持たせてもよい。また例えば、文書分析支援装置とは別に解析装置を設け、これに解析部１２０の機能を持たせてもよい。
【００５２】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００５３】
１００  文書分析支援装置、  １２０  解析部、  １２１  形態素解析部、  １２２  係り受け解析部、  １３０  特許文献検索部、  １３１  検索条件取得部、  １３２  検索式生成部、  １３３  検索実行部、  １４０  特許文献リスト取得部、  １５０  解析情報抽出部、  １５１  形態素情報抽出部、  １５２  係り受け情報抽出部、  １６０  集計部、  １６１  形態素集計部、  １６２  係り受け集計部、  １７０  表示制御部、  １８１  形態素情報保持部、  １８２  係り受け情報保持部、  １８３  抽出形態素データ保持部、  １８４  抽出係り受けデータ保持部、  １８５  辞書データ保持部、  ２００  特許データベース、  ３００  ユーザ端末。
【図１】
2015088022.tif 000003
【図２】
2015088022.tif 000004
【図３】
2015088022.tif 000005
【図４】
2015088022.tif 000006
【図５】
2015088022.tif 000007
【図６】
2015088022.tif 000008